(57)【要約】      （修正有）【課題】簡単な装置で、ＬＥＤを用いて紫外線を含む幅広い範囲の電磁波を照射する誘虫装置を提供する。【解決手段】少なくとも波長４００ｎｍ以下の電磁波を反射する反射部、波長４００ｎｍ以下の電磁波を照射する少なくとも１つのＬＥＤ９、波長４００ｎｍ以上の電磁波を照射する少なくとも１つのＬＥＤ９、電源部（電池７）、及び粘着剤層４がケーシング２に組み込まれている。【選択図】図２
2018143126.tif 000002
【特許請求の範囲】
【請求項１】
少なくとも波長４００ｎｍ以下の電磁波を反射する反射部、波長４００ｎｍ以下の電磁波を照射する少なくとも１つのＬＥＤ、波長４００ｎｍ以上の電磁波を照射する少なくとも１つのＬＥＤ、電源部、及び粘着剤層がケーシングに組み込まれていることを特徴とする捕虫器。
【請求項２】
該電源部は電池と電池ケースである請求項１記載の捕虫器。
【請求項３】
該２種のＬＥＤは、クリップ方式で該ケーシングに取り付けられているものである請求項１又は２記載の捕虫器。
【請求項４】
該ケーシングは、透明プラスチックである請求項１乃至３のいずれか１項に記載の捕虫器。
【請求項５】
該ケーシングは、折って組み立てるものである請求項１乃至４のいずれか１項に記載の捕虫器。
【請求項６】
該反射部は該ケーシングとは別部材の板である請求項１乃至５のいずれか１項に記載の捕虫器。
【請求項７】
該反射部は該ケーシングに反射塗料を塗布した層で形成されたものである請求項１乃至５のいずれか１項に記載の捕虫器。
【請求項８】
該電池ケースは、該ケーシングの下方に設けられているものである請求項２に記載の捕虫器。
【請求項９】
該電源部は、家庭用電源に接続するための接続具である請求項１記載の捕虫器。
【発明の詳細な説明】
【技術分野】
【０００１】
本発明は、捕虫器に関するものである。
【背景技術】
【０００２】
捕虫器は、基本的には飛翔昆虫を誘引して捕獲するものである。このような昆虫は、食品工場だけでなく、種々の営業所や設備においてマイナスになるものである。よって、このような昆虫は設備内に入らせないことが第一である。よって、入口やその他設備の近傍において捕獲することも重要である。
【０００３】
しかし、設備内にまったく進入させないことは、現実的には不可能である。出入りする人や物とともに入ることがあるためである。このような場合、迅速に誘引して捕獲することが肝心である。
【０００４】
そのため、従来から紫外線ランプを用いたもの等が知られているが、どうしても装置が大きくなり、設置場所や設置数も限られてくる。しかし、虫はどこから入って、どこを飛んでいるかは明確でないため、できるだけ多数の箇所に捕虫器を設置したいという要望がある。このためには安価であることが望ましい。さらに、種々の場所では、電源のない場所もある。
【０００５】
さらに、昆虫は、紫外線を好むものや可視光を好むもの、またその両方のもの等があり、単に紫外線ランプを設置しただけでは、誘引効果が少ない。
【０００６】
また、紫外線ランプに替えて、ＬＥＤ（発光ダイオード）を用いるものも考案されている。しかし、ＬＥＤは光（電磁波）の照射角度（立体角）が狭く、広く虫を誘引することが難しい。
これを解消するため、特許文献１のような捕虫器も開発されている。これはＬＥＤを用いて、且つポリカーボネートの拡散板でカバーしたもので、照射角の小さいことを補うものである。しかし、この特許文献１の装置も比較的大きく粘着剤層についても明確な位置や構成は記載されていない。
【０００７】
即ち、上記の価格の問題、電源の問題、装置の大きさの問題、電磁波の照射角度の問題等を解決、解消した捕虫器はなかったのである。
【先行技術文献】
【特許文献】
【０００８】
【特許文献１】特開２０１６−１６５２７７号公報
【発明の概要】
【発明が解決しようとする課題】
【０００９】
そこで、本発明では、簡単な装置で、ＬＥＤを用いて紫外線を含む幅広い範囲の電磁波を照射する誘虫装置を提供する。
【課題を解決するための手段】
【００１０】
以上のような状況に鑑み、本発明者は鋭意研究の結果本発明捕虫器を完成したものであり、その特徴とするところは、少なくとも波長４００ｎｍ以下の電磁波を反射する反射部、波長４００ｎｍ以下の電磁波を照射する少なくとも１つのＬＥＤ、波長４００ｎｍ以上の電磁波を照射する少なくとも１つのＬＥＤ、電源部、及び粘着剤層がケーシングに組み込まれている点にある。
【００１１】
本発明でいう捕虫器は、電磁波によって昆虫を誘引し、近傍の粘着剤に昆虫を粘着させて捕獲するものである。そのほとんどが飛翔昆虫である。
【００１２】
ＬＥＤは、通常の発光ダイオードであり、最近では、波長の短い電磁波も照射できるものが市販されてきている。例えば、波長３００ｎｍ以下の電磁波である。昆虫によってはこのような短い波長の電磁波を好むものもいるのである。
【００１３】
波長４００ｎｍ以下の電磁波とは、一般的にいう紫外線である。紫外線は、波長１０〜４００ｎｍであるが、本発明ではそのほとんどが波長２００〜４００ｎｍの電磁波である。特に、虫が好むと考えられる３６５ｎｍや２５０ｎｍ付近の電磁波が好適である。
このような電磁波を照射するＬＥＤを少なくとも１つ有するのである。勿論、複数でもよく、複数のそれぞれが異なる波長のものでもよい。
【００１４】
波長４００ｎｍ以上の電磁波は、一般には可視光であるが、それを超えると赤外線である。昆虫によっては、この赤外線を感知するものもいるらしい。よって、ここでいう波長４００ｎｍ以上の電磁波は、青い光、緑の光等の可視光、赤外線その他の電磁波をいい、特定の波長のものだけではない。
これも上記同様、複数でもよく、それぞれが異なる波長のものでもよい。
【００１５】
さらに、ＬＥＤは点滅してもよい。即ち、点灯と消灯を繰り返すのである。これは、基本的には光源は点滅している方が、昆虫には感知しやすいためである。さらに、点滅であるため、電気の消費量が減少する。よって、電池式の場合では、電池の寿命に影響があり有利である。
【００１６】
点滅の頻度（例えば、１秒間に点滅する回数、回数としては点灯の回数）は限定はしない。しかし、好適には次の通りである。
人間でも１秒間に５０回点滅すると、ほとんど感知できず、連続的に点灯していると感じてしまう。よって、頻度が少ない方が注意を引きやすい。例えば、１秒間に１００回以内（より好適には１秒間に１〜２０回程度、虫によっては１００回の点滅も感知するものがいるらしい）が好適である。しかし、可視光の場合、頻度が少ないと人間の目にちらちらして不快であるため、紫外線や赤外線は頻度を少なくして、可視光は多くするのがよい。
結局、可視光が１秒間に５０回以上、紫外線及び赤外線は１〜５０回の点滅が最も好ましい。
【００１７】
また、人間の目に触れないような場所に設置するものでは、人間の不快は考慮する必要がないため、可視光の頻度も小さくしてもよい。要するに、点滅の頻度は自由である。点滅させる方法は、ＬＥＤの基盤に取り付け可能な小さい点滅回路で行うのが簡単である。
【００１８】
ケーシングとは、本発明捕虫器の本体ともいうべき部分であり、各部品が取り付けられているものである。
部材としては、プラスチックや紙がよく、透明プラスチックが好適であり、特に電磁波を拡散して透過するものがよい。
ケーシング自体は、使い捨てタイプでもよい。即ち虫が一定以上捕獲できれば、その時点でケーシングごと交換するタイプである。この場合でも、ＬＥＤや反射部は交換してもしなくてもよい。
勿論、使い捨てでなく、繰り返し使うタイプでもよい。例えば、プラスチックの成型品等である。
【００１９】
ケーシングの形状としては、筒型が好適である。特に、一方（底面や側面等）が平面状で、空間断面が半円状、三角状、四角状等が好適である。側面側は、開放されているものがよい。このような形状のものは、１枚のブランクシートを折って組み立てることができる。限定はしないがそのようなものが好適である。
【００２０】
また、よだれかけのような、平面板の前部に受ける部分があるような形状でもよい。さらに、平面板の前部に半円筒型のカバー（側面は開放）を上下で止めるように設けたものでもよい。
要するに、ケーシング自体は、粘着剤層が設けられ、そこに虫が侵入でき、且つ内部にＬＥＤが設置できればどのような形状でもよい。
【００２１】
ケーシングには、別途開口部を設けても良い。即ち、前記したブランクシート等に開口部（切欠部でも可）を設けるのである。この開口部は電磁波を放射しやすくするとともに昆虫の侵入口にもなる。
【００２２】
また、本発明の設置方法としては、単に置くタイプ、壁掛けタイプ、吊り下げタイプでよい。壁掛けタイプでは、掛けるためのフックや孔を設ければよい。
ケーシングのサイズとしては、限定はしないが、載置式であれば、底面のサイズが縦が５〜１０ｃｍ、横が１０〜４０ｃｍ程度、壁掛けタイプでは、壁側の平板のサイズで縦横ともに１０〜５０ｃｍ程度である。
【００２３】
ケーシングにデータを書き込む枠を印刷しても、そのようなシールを貼ってもよい。データとしては、本捕虫器を設置した日時、設置場所、捕獲した虫の数、虫の種類、担当者その他であり、１つでも複数項目でもよい。ケーシングを回収するときにそのデータを収集し、本発明捕虫器を虫の侵入経路や侵入数の検査用に使用してもよい。
このケーシングに種々のものが組み込まれているのであるが、ここでいう組み込みは、ケーシングの内部には限定せず、どこかに設置されていればよい。
【００２４】
粘着剤層とは、粘着剤を塗布した層である。粘着剤はケーシングに直接塗布しても、別の部材（シート等）に粘着剤を塗布したものをケーシングに設けてもよい。
粘着剤層を設ける場所としては、ケーシングの内部底面が好適であるが、奥部壁面でもよい。直接、粘着剤を塗布するタイプでは、ケーシング自体が使い捨てタイプである。シートを設けるタイプでは、そのシートが着脱自在であれば、シートだけを交換することができる。
【００２５】
反射部は、少なくとも紫外線を反射する層であればよく、塗料を塗布した層自体でも、独立した紙、フィルム、シートでも、さらにより厚い板でもよい。板の場合、アルミ板等が好適である。
独立した部材（紙や板）であっても、それ自体紫外線反射能がなくても、それに紫外線反射塗料を塗布するか、紫外線反射シートを貼付したものでもよい。
【００２６】
反射部が独立した部材の場合、それをケーシングの底の下や奥壁面に貼るか、底の下面に着脱可能に設けるかである。着脱可能にするには、底の下面に挿入部や、引っ掛け具を設け、そこに出し入れ自由に挿入するか、引っ掛けてもよい。この反射部も使い捨てタイプでも、繰り返し使用タイプでもよい。
【００２７】
反射部は、可視光やその他の電磁波も反射してもよく、その方が好ましい。この反射部の意味は、上記したＬＥＤからの電磁波をできるだけ拡散して外部に照射するためである。
発光面積が大きくなるという効果もある。
【００２８】
ＬＥＤから照射される電磁波は、広がりが少なく広い範囲に照射することが難しいため、一旦、反射部に照射し、その反射部で広い角度で反射させるのである。よって、反射部もそのように広い範囲に反射するものがよい。しかし、通常の塗料やシートはそのような効果を有しているため、特別な構成にする必要はない。例えば、普通の白い紙でも、電磁波を照射すると、乱反射し、相当広い範囲に反射光が照射される。
【００２９】
乱反射とは、拡散反射ともいい、入射光が様々な角度で反射しているかのように見える現象である。この反対が鏡面反射である。このような乱反射は、通常物質の表面で起こり、鏡面や塗料のつや出し等特殊な表面以外は乱反射である。例えば、一般的な塗料を塗布した表面（白い塗料等）等である。
【００３０】
本発明の特徴の１つであるＬＥＤのケーシングへの固着方法は、着脱自在ということである。これは、ケーシングは使い捨てタイプ又は、短期間で放棄するタイプなどで、ケーシングを廃棄するときにＬＥＤを外して、次のケーシングに固着できるようにするためである。
【００３１】
着脱自在の取り付け方法としては、クリップ方式、差込式、引っ掛け式、ホック式、面ファスナー式などであり、基本的にはどのような方式でもよい。クリップ方式は、一方を摘むと、他方が開く一般的なクリップと同様のもので、その一方側にＬＥＤを固着したものが簡単である。差込式の場合、金属やプラスチックを折り返して溝を構成し、その溝にケーシングの一部を差し込むものである。
引っ掛け式の場合は、ＬＥＤに引っ掛け具を固着し、それをケーシングに引っ掛けて固定する。面ファスナー式は、ＬＥＤを面ファスナー（雄型、雌型又は混合型）に固定し、それと固着できる面ファスナーをケーシングに固定するものである。
【００３２】
電源部は、電池等の電源、又は家庭用電源の接続具をいう。まず、電池式について説明する。
電池式の場合には、電池のみの場合と、電池と電池ケースを使用する場合とがある。電池のみの場合、ＬＥＤ基盤上や基盤の裏にボタン電池等を固定したものが考えられる。この場合、小さくて済むという利点がある。
【００３３】
電池と電池ケースを用いる場合、電池はどのようなタイプのものでもよく、通常の単１や単３その他のタイプでよく、その個数も自由である。電池と上記したＬＥＤは通常の電線で接続すればよい。接続の方法は自由であり、どこを通すかも自由である。
【００３４】
電池ケースは、電池が収納できればよく、形状は自由である。しかし、上記したケーシングの下方に固着するタイプが便利である。また、ケーシングの底面全体のサイズでは、大きいため、電池ケースの中で、さらに別途電池のケースを設けてもよい。
【００３５】
家庭用電源を用いるものでは、電池や電池ケースは不要であり、ＬＥＤからの電気コードを直接（又は間接的に）電源に接続すればよい。本発明のＬＥＤ側には、コンセントのような接続具のみを設けて、継ぎ線によって電源と接続してもよい。
【００３６】
このように電池ケースが不要な場合には、反射板（反射部として）とケーシングの取り付けは、反射板の両端を折り曲げてそこにケーシングを挿入するようにしてもよい。
反射板がなく、即ちケーシングの底に反射塗料を塗布するタイプでは、ケーシングが一番底にくるもので電池ケースや反射板の取り付けがなく簡単である。
【００３７】
さらに本発明には、誘虫要因として、電磁波だけでなく、虫の好む臭い（フェロモン等）を出すものを固着したり、虫の好む音を出す装置を設けてもよい。
【発明の効果】
【００３８】
本発明誘虫器には次のような大きな利点がある。
（１）  本発明構成部品それぞれが安価であり全体が安価である。
（２）  簡単に組み立て、分解ができるため、虫が粘着剤層に固着したケーシングだけを捨てることができる。
（３）  反射部が設けられているため、ＬＥＤからの電磁波が広角で照射され、広い範囲の虫が誘引できる。
（４）  ＬＥＤを点滅させると、虫の誘引効果が大きくなるだけでなく、電池の寿命が長くなる。
【図面の簡単な説明】
【００３９】
【図１】本発明捕虫器１の部分斜視図である。
【図２】図１の断面図である。
【図３】図１の例の組み立てを示す部分斜視図である。
【図４】ブランクシートの平面図である。
【図５】本発明捕虫器の他の例を示す断面図である。
【図６】本発明の１例に使用するＬＥＤを示す側面図である。
【図７】本発明の他の実施例を示す斜視図である。
【図８】本発明に用いるＬＥＤの固着方式を示す側面図である。
【図９】本発明に用いるＬＥＤの固着方式を示す側面図である。
【図１０】本発明に用いるＬＥＤの電源部を示すもので、（ａ）は側面図、（ｂ）は平面図である。
【図１１】本発明の他の実施例を示す斜視図である。
【発明を実施するための形態】
【００４０】
以下実施例に基づいて、本発明をより詳細に説明するが、実施例は１例であって、本発明をこれに限定するものではない。
図１は、本発明捕虫器１の部分斜視図である。ケーシング２が、側面視三角形状に組み立てられている。上部はかみ合わされて固定されている。材質は、透明プラスチック（ポリプロピレン）である。ケーシング２の底部３には、粘着剤４が塗布されている。
【００４１】
ケーシング２の底部３を受けるように電池ケース５が設けられ、その中間部に反射部であるアルミ板６が挿入されている。電池ケース５には電池７（この例では、単３電池）が複数収納されている。この電池ケースは、金属製である。
【００４２】
また、ケーシング２には、開口部８が設けられ虫が入りやすいように構成されている。
この図では、ＬＥＤは見えていない。また、電池からＬＥＤの配線も省略している。
【００４３】
図２は、図１の断面図である。この図では、ＬＥＤ９（１つのみ示す）が取り付けられたクリップ（この例ではバネのない差込タイプ）１０が、ケーシング２の頂部に止められている。この図のものでは、ＬＥＤからの電磁波は下方に照射され、アルミ板６で乱反射されてケーシングの２つの側壁を通過して、また左右の開口から外部に照射される。
【００４４】
この図のクリップ１０は、どのような形状でもよく、下方にＬＥＤが固定でき、上方でケーシングに引っ掛けることができるものであればよい。横に長いタイプで多数のＬＥＤを固着するものでも、短く１又は少数のＬＥＤを固着するものでもよい。
また、クリップはバネで付勢されている通常のものでもよく、指でつまんで簡単に外せるものである。勿論、バネのない単なる引っ掛けタイプでもよい。
ＬＥＤは、少なくとも２つであるが、より多数設けてもよい。この図では、配線は省略している。
【００４５】
図３は、図１の例の組み立て途中の図である。ケーシング２の下にアルミ板６を位置させて、電池ケース５の折り曲げ部に挿入しているところである。よって、電池ケース５の一方は折り曲げ部がなく、挿入できるようになっている。
電気コード１１が電池から、クリップ１０のＬＥＤ９に接続されている。
【００４６】
図４は、図１の例のケーシング２の組み立て前のブランクシートである。このように１枚のプラスチックシートを折り曲げて作成できるため、非常に安価である。この図では、長方形の突起があるが、台形状にして外れにくいようにしてもよい。
使用方法として、ケーシング２の底部の粘着剤に虫が一定以上捕獲されたときに、ケーシング２からアルミ板６、電池ケース５、ＬＥＤ９を外し、ケーシング２を廃棄して、新しいケーシング２を同様に再度組み立てればよい。
【００４７】
図５は、本発明の他の例を示す断面図である。この図は横断面図である。この例では、ケーシング２の前方（この図では左方）に大きな開口があるが、側方には開口は有しない。この例のケーシング２は、プラスチックの成型品である（この例では、使い捨てではない）。ケーシング２の奥の（この図では右方）壁面にアルミ板６を固着している。
さらに、このアルミ板６の前に、粘着剤４が塗布されたプラスチック製のシート（透明）１２が奥の壁面から底面にかけて設置されている。
【００４８】
ＬＥＤ９は、ケーシング２の前方傾斜面に設けられている。このＬＥＤ９からの電磁波がアルミ板６に照射され、そこで乱反射されて前方開口から放射される。この放射された電磁波に誘われて虫が飛来し、奥の反射部から電磁波が放射されているため、その前の粘着剤層に衝突し捕獲される。そこで、捕獲されず落下した場合には下方の粘着剤層で捕獲される。
【００４９】
この例のアルミ板６とシート１２に替えて、紙製のシートのみにしてもよい。そして、紙の上に反射塗料を塗布し、その上に粘着剤を塗布したものでもよい。そのようにすると、紙全体を使い捨てにすることができる。
【００５０】
図５の例は、底部に電池ケース５があり、電池７が収納されている。この図では、電池からＬＥＤへの配線は省略している。この例では、シート１２の粘着剤層に一定の量の虫が捕獲された場合、又は一定期間経過後、シート１２を交換する。
【００５１】
図６は、ＬＥＤセットの１例を示す。この例では、ＬＥＤ９の基盤１３の裏面にボタン電池１４が取り付けられている。このタイプでは、電池関係の容積が小さいため、全体が小さく軽量にできる。電源や配線も不要である。
【００５２】
図７は、壁掛けタイプで、後方の平板１５に前の受部１６が設けられたものである。この例では、受部１６の内側にＬＥＤ９が着脱自在に固着されている。固着の方法は面ファスナー方式である。電源部（配線等）は、図示を省略している。反射部は、別体ではなく、平板１５が反射部を兼ねている。
粘着剤（透明タイプ）は、この平板１５に塗布されている。
【００５３】
図８は、板バネ１７を用いたクリップ１８に、基盤１９とＬＥＤ９を固着したものである。このクリップ１８をケーシングに固着すれば、廃棄する場合に簡単に外すことができる。ＬＥＤから家庭用電源に接続可能なプラグ（電源部）が連結されている。
【００５４】
図９は、クリップタイプのもので、クリップ１８にＬＥＤの基盤１９が固定され、クリップ１８と基盤１９の間にボタン電池１４が挿入できる構造になっている。よって、電池交換は簡単である。このタイプの場合、電気コードは不要である。
【００５５】
図１０は、単３電池２０を２つ並べてＬＥＤの基盤１９の裏面に固定したものである。この例も長い電気コードは不要である。また、ケーシングへの固着部は省略している。この例は、単３電池２０を用いているため、前記ボタン電池より寿命が長い。
【００５６】
図１１は、壁掛けタイプであり、平板１５の下方延長部を折り曲げてドーム状に空間を構成したものである。側方は当然解放である。ＬＥＤ９は、ドーム状の部分の内側に固着されており、反射部は平板１５に貼り付けられている。この例のケーシングは、全体である。材質は透明プラスチックである。
この例も粘着剤は平板１５の上に塗布されている。
【００５７】
図１の例を種々の飛翔昆虫に対して捕虫効果を試したが、相当の効果が認められた。
【符号の説明】
【００５８】
１  本発明捕虫器
２  ケーシング
３  底
４  粘着剤
５  電池ケース
６  アルミ板（反射部）
７  電池
８  開口
９  ＬＥＤ
１０  クリップ
１１  電気コード
１２  プラスチック製のシート
１３  基盤
１４  ボタン電池
１５  平板
１６  受部
１７  バネ
１８  クリップ
１９  基盤
２０  単３電池
【図１】
2018143126.tif 000003
【図２】
2018143126.tif 000004
【図３】
2018143126.tif 000005
【図４】
2018143126.tif 000006
【図５】
2018143126.tif 000007
【図６】
2018143126.tif 000008
【図７】
2018143126.tif 000009
【図８】
2018143126.tif 000010
【図９】
2018143126.tif 000011
【図１０】
2018143126.tif 000012
【図１１】
2018143126.tif 000013